(57)【要約】      （修正有）【課題】スーパーマーケットなどで使用される買い物かごを載置するかご用台車を位置固定するための固定具を提供する。【解決手段】固定具２は、買い物かご３を載置する金属製のかご用台車１を位置固定するものであって、かご用台車１に取り付け可能に設けられ、外周全面が被覆材料でコーティングされた磁性体からなる。【選択図】図１
2015229354.tif 000002
【特許請求の範囲】
【請求項１】
買い物かごを載置する金属製のかご用台車を位置固定する固定具であって、
前記かご用台車に取り付け可能に設けられ、外周全面が被覆材料でコーティングされた磁性体からなることを特徴とする固定具。
【請求項２】
前記磁性体の外周全面をコーティングする被覆材料には、軟質塩化ビニル樹脂が用いられることを特徴とする請求項１に記載の固定具。
【発明の詳細な説明】
【技術分野】
【０００１】
本発明は、スーパーマーケットなどで使用される買い物かごを載置するかご用台車を固定するための固定具に関する。
【背景技術】
【０００２】
スーパーマーケットなどにおいて、買い物客は、買い物かごに入っている購入商品を買い物袋などに袋詰めにした後、空になった買い物かごをかご用台車など所定の場所に積み重ねるなどして店舗に返却する。
【０００３】
かご用台車は、その底部にキャスターが設けられていることから、買い物かごが積み重ねられる際などの衝撃によって不用意に動いてしまうことがある。
【０００４】
これを防止するためのものとして、特許文献１には、壁面に固定可能な固定部を有する本体部と、台車の離脱を妨げる保持部材と、保持部材を本体部の方向に不正する付勢部材と、保持部材を本体部材の方向に往復移動可能な状態で本体部材に取り付ける取付部材と、を備える台車保持装置が開示されている。
【先行技術文献】
【特許文献】
【０００５】
【特許文献１】特開２０１０−２８０２９１号公報
【発明の概要】
【発明が解決しようとする課題】
【０００６】
しかしながら、特許文献１に記載の台車保持装置では、台車保持装置の取り付けられた位置のみでしかかご用台車を固定することが出来ないため、台車の配置位置に対する自由度が低く、台車のサイズに応じて装置が必要であった。
【課題を解決するための手段】
【０００７】
本発明は、スーパーマーケットなどで使用される買い物かごを載置するかご用台車を位置固定するための固定具の提供を目的とする。
【０００８】
即ち、本発明は下記［１］〜［２］に記載の構成を有する。
【０００９】
［１］  買い物かごを載置する金属製のかご用台車を位置固定する固定具であって、
前記かご用台車に取り付け可能に設けられ、外周全面が被覆材料でコーティングされた磁性体からなることを特徴とする固定具。
【００１０】
［２］  前記磁性体の外周全面をコーティングする被覆材料には、軟質塩化ビニル樹脂が用いられることを特徴とする前項１に記載の固定具。
【発明の効果】
【００１１】
上記［１］に記載の発明によれば、買い物かごを載置する金属製のかご用台車を位置固定するものであって、かご用台車に取り付け可能に設けられ、外周全面が被覆材料でコーティングされた磁性体からなるので、金属など磁性体に付着可能な素材面であれば場所を選ばずにかご用台車を取り付けることができるため、かご用台車の配置位置に対する自由度が高くなり、固定具をかご用台車の取付面やかご用台車の任意の位置に取り付けることができ、様々なサイズや形状のかご用台車に対応させて位置固定させることができる。
【００１２】
また、かご用台車は周辺の壁等に衝突するなどして衝撃を受け易いが、磁性体の外周全面が被覆材料でコーティングされているので、磁性体が割れ難くなり、かご用台車が衝突した衝撃で磁性体が割れてしまった場合であっても、破片が散らばることがないため、磁性体が割れた後の清掃などが不要となり手間がかからない。
【００１３】
上記［２］に記載の発明によれば、磁性体の外周全面をコーティングする被覆材料には、軟質塩化ビニル樹脂が用いられるので、かご用台車の周辺の壁などへ衝突などすることによる衝撃を和らげることができ、被覆材料自体が破損してしまう可能性が低減するとともに、かご用台車の衝突時の衝突音も軽減される。
【００１４】
また、被覆材料は、磁性体から簡単に剥がすことができるので、廃棄する際の分別が容易である。
【００１５】
更に、塩化ビニル樹脂は、耐候性に優れているため、長期に亘って使用することができる。
【図面の簡単な説明】
【００１６】
【図１】本発明に係る固定具の使用状態を説明するための全体図である。
【図２】本発明に係る固定具の斜視図及び断面図である。
【図３】本発明に係る固定具の使用状態を説明するための説明図である。
【発明を実施するための形態】
【００１７】
以下、図面を参照して、本発明の実施形態について説明する。
【００１８】
図１は、固定具２の使用状態を説明するための全体図、図２は、固定具２の斜視図及び断面図、図３は、固定具２の使用状態を説明するための説明図である。
【００１９】
図１〜３に示す本発明の固定具２は、主にスーパーマーケットなどの店舗において使用されるものであり、買い物かご３が積み重ねられるなどして載置される金属製のかご用台車１を所定の位置に位置固定するために用いられるものである。
【００２０】
かご用台車１は、買い物客が購入した商品を買い物かご３から買い物袋などに袋詰めした後など、空の買い物かご３が載置される台車であり、かご用台車１に取付けられた固定具２によりレジ台やサッカー台などの金属製の什器４の側板４１などに取付けられて位置固定される。
【００２１】
かご用台車１は、金属製の棒材が折り曲げられるなどして下向きにコ字状に形成された一対の枠体１１を備え、枠体１１には、下方に向けて延びる脚部１１１が設けられている。
【００２２】
各枠体１１は、買い物かご３が上部から嵌め込まれる程度の間隔で配置され、枠体上部１１２が、買い物かご３の長手方向長さと略等しい長さに設定されている。
【００２３】
枠体１１は、対向して配置された各脚部１１１に横架部材１３が架けられ、枠体１１同士が連結されている。
【００２４】
かご用台車１は、枠体１１間に嵌め込まれた買い物かご３の縁部３１の下端部が枠体１１の枠体上部１１２の上端に当接することにより、買い物かご３が保持されるように構成されている。
【００２５】
各横架部材１３には、買い物かご３の上部から嵌め込まれた買い物かご３の底面が当接する下部枠体１１３が取り付けられており、買い物かご３をより安定的に保持できるよう構成されている。
【００２６】
枠体１１の各脚部１１１の下端部には、合計で４つのキャスター１２が設けられており、これにより買い物かご３が積み重ねられたまま、かご用台車１が移動可能に構成されている。
【００２７】
かご用台車１を構成する枠体１１及び横架部材１３は、磁性体が付着可能なステンレスなどの金属材料から形成されている。
【００２８】
固定具２は、磁性体２１からなり、磁性体２１の磁力によってかご用台車１の枠体１１及び横架部材１３に取り付け可能に設けられる。
【００２９】
固定具２は、例えば、角部がやや丸みを帯びた略直方体に形成され、その外周面全面が合成樹脂でコーティングされて形成されている。
【００３０】
一例として、磁性体２１には、フェライト磁石が用いられ、合成樹脂には、塩化ビニル樹脂が用いられる。
【００３１】
尚、磁性体２１には、耐腐食性及び耐酸化性に優れ、コストが安いことからフェライト磁石が用いられることが好ましいが、アルニコ磁石などその他の永久磁石が用いられるのであってもよい。
【００３２】
また、合成樹脂としては、塩化ビニル樹脂以外に、ポリエステル樹脂などその他の合成樹脂や合成樹脂以外の素材が用いられるのであってもよく、かご用台車１が周辺の壁等に衝突するなどした衝撃によって樹脂自体の破損が生じ難い素材であればよい。
【００３３】
被覆材料２２に用いられる合成樹脂としては、軟質合成樹脂が好ましく、特に、加工性の良さ及び低コストであることから軟質塩化ビニル樹脂がより好ましい。
【００３４】
尚、軟質塩化ビニル樹脂とは、塩化ビニルのホモポリマーや塩化ビニルを主体とする共重合体及びそれらの混合物に、少なくとも柔軟性を付与する可塑剤が添加された組成物である。
【００３５】
固定具２は、かご用台車１の枠体１１に取り付け可能な幅寸法、厚み寸法に成形されている。
【００３６】
図３（ａ），（ｂ）に示すように、固定具２は、枠体上部１１２の側面に左右両側に１つずつ取り付けられて什器４の側面４１に取り付け固定されている。
【００３７】
固定具２の製造方法としては、まず、磁性体２１が、所定の寸法に切り分けられて、やや角部が丸みを帯びた形状に成形加工される。
【００３８】
磁性体２１は、溶融した塩化ビニル樹脂の液体中にその全体が浸漬されることによって、磁性体２１に塩化ビニル樹脂が付着して外周面全面がコーティングされる。
【００３９】
固定具２は、被覆材料２２の厚みが厚過ぎると磁性体２１の磁力を低下させてしまい、被覆材料２２の厚みが薄過ぎると磁性体２１が破損した際などに破れてしまう虞があることから、約１．０ｍｍ〜１．５ｍｍ程度の厚みで磁性体２１がコーティングされることが好ましい。
【００４０】
樹脂溶液に浸漬させて樹脂コーティングされるため、磁性体２１の形状は、図示する以外のあらゆる形状のものが適用可能である。
【００４１】
磁性体２１の外周全面をコーティングする被覆材料２２に、軟質塩化ビニル樹脂が用いられると、かご用台車１の周辺の壁などへ衝突などすることによる衝撃を和らげることができ、被覆材料２２自体が破損してしまう可能性が低減するとともに、かご用台車１の衝突時の衝突音も軽減される。
【００４２】
また、被覆材料２２は、磁性体２１から簡単に剥がすことができるので、廃棄する際の分別が容易である。
【００４３】
更に、塩化ビニル樹脂は、耐候性に優れているため、長期に亘って使用することができる。
【００４４】
上述では、固定具２がかご用台車１の枠体上部１１２に２つ取り付けられるように説明したが、枠体上部１１２の長さと同等の長さに形成された固定具２が取り付けられるのであってもよいし、３つ以上の固定具２が取付けられるのであってもよい。
【００４５】
図３に示すような長さ寸法の固定具２であれば、複数個使用して什器４の側板４１に取付けられることが好ましいが、この限りではない。
【００４６】
また、枠体上部１１２だけでなく、脚部１１１に固定具２が取り付けられて位置固定されるのであってもよく、かご用台車１が什器４などの磁性体の付着可能なものと位置固定可能に構成されるのであれば、固定具２の取り付け箇所について特に限定されるものではない。
【００４７】
更に、固定具２を用いてかご用台車１をレジ台やサッカー台などの什器４の側板４１などに取り付けられるように説明したが、磁性体２１が付着可能な素材で構成されているものであればその取り付け箇所は特に限定されるものではない。
【００４８】
固定具２は、かご用台車１に取付けられてから、かご用台車１を固定したい位置に位置固定するのであってもよいし、固定したい位置に固定具２を取り付けてから、かご用台車１を固定具２に取り付けられるのであってもよく、少なくとも固定具２がかご用台車１及び固定したい位置に取り付けられるのであれば、取付順序は関係なく本発明の効果と同様の効果を得ることができる。
【００４９】
上述では、固定具２を合成樹脂でコーティングするように説明したが、特に、軟質塩化ビニル樹脂であれば着色やプリント加工が容易にできるという特長があることから、合成樹脂に着色剤などが添加された混合液を用いて、磁性体２１が任意の色に着色された合成樹脂でコーティングされることによって様々な色彩に着色された固定具２が形成されるのであってもよい。
【００５０】
以上説明したように、上述した固定具２は、買い物かご３を載置する金属製のかご用台車１を位置固定するものであって、かご用台車１に取り付け可能に設けられ、外周全面が被覆材料２２でコーティングされた磁性体２１からなるので、金属など磁性体２１に付着可能な素材面であれば場所を選ばずにかご用台車１を取り付けることができるため、かご用台車１の配置位置に対する自由度が高くなり、固定具２をかご用台車１の取付面やかご用台車１の任意の位置に取り付けることができ、様々なサイズや形状のかご用台車１に対応させて位置固定させることができる。
【００５１】
また、かご用台車１は周辺の壁等に衝突するなどして衝撃を受け易いが、磁性体２１の外周全面が被覆材料２２でコーティングされているので、磁性体２１が割れ難くなり、かご用台車１が衝突した衝撃で磁性体２１が割れてしまった場合であっても、破片が散らばることがないため、磁性体２１が割れた後の清掃などが不要となり手間がかからない。
【００５２】
以上説明した実施形態は、本発明の一例に過ぎず、本発明の作用効果を奏する範囲において具体的構成などを適宜変更設計できることは言うまでもない。
【産業上の利用可能性】
【００５３】
本発明は、スーパーマーケットなどで使用される買い物かご３を載置するかご用台車１を位置固定するために好適に用いられる。
【符号の説明】
【００５４】
１…かご用台車
２…固定具
３…買い物かご
２１…磁性体
２２…被覆材料
【図１】
2015229354.tif 000003
【図２】
2015229354.tif 000004
【図３】
2015229354.tif 000005